(57)【要約】【課題】ジオシンセティクス製シートを用い、斜面の変化に追従可能であり、かつ破断防止が可能である。【解決手段】斜面2にジオシンセティクス製シート4を敷設して補強する斜面安定工法において、ジオシンセティクス製シート4の上側シート端部4ｃを折り返した折り返し部分4ｄに補強材3を挿通させた状態で、補強材3に頭部部材5を取り付けて折り返し部分4ｄを固定する。また、ジオシンセティクス製シート4の上側シート端部4ｃを筒状に折り返した筒状折り返し部分4ｆに補強材3を挿通させた後、補強材3に頭部部材5を取り付けて筒状折り返し部分4ｆの空隙11にグラウト材12を充填する。【選択図】図２
2007113296.tif 000002
【特許請求の範囲】
【請求項１】
斜面に敷設したジオシンセティクス製シートを補強材で固定して補強する斜面安定工法において、
前記ジオシンセティクス製シートの端部を折り返した折り返し部分に前記補強材を挿通させた状態で、
前記補強材に頭部部材を取り付けて前記折り返し部分を固定する、
ことを特徴とする斜面安定工法。
【請求項２】
斜面に敷設したジオシンセティクス製シートを補強材で固定して補強する斜面安定工法において、
前記ジオシンセティクス製シートの端部を筒状に折り返した筒状折り返し部分に前記補強材を挿通させた後、
前記補強材に頭部部材を取り付け、
前記筒状折り返し部分の空隙にグラウト材を充填する、
ことを特徴とする斜面安定工法。
【請求項３】
前記ジオシンセティクス製シートの上に表面保護部材を設置したことを特徴とする請求項1または請求項2に記載の斜面安定工法。
【請求項４】
前記筒状折り返し部分に前記補強材を挿通させた後、
弾性体リングに前記補強材を挿通させ、
前記筒状折り返し部分の空隙に前記グラウト材を充填することを特徴とする請求項2または請求項3に記載の斜面安定工法。
【請求項５】
前記筒状折り返し部分の空隙に線材を挿入して前記グラウト材を充填することを特徴とする請求項2乃至請求項4のいずれか1項に記載の斜面安定工法。
【発明の詳細な説明】
【技術分野】
【０００１】
この発明は、自然状態の急斜面、または切土斜面などの斜面を補強する斜面安定工法に関するものである。 
【背景技術】
【０００２】
従来、斜面にジオシンセティクス製シートを敷設して補強する切土斜面安定工法として、例えばジオシンセティクス製シートとして所定の大きさに成形した複数のユニットシートを使用し、このユニットシートの端部同士を重ねて配置し、支圧プレートを介して斜面に打設した補強材の頭部をユニットシートの重複部に固定するものが提案されている（特許文献1）。
【特許文献１】特開2004-131967号
【発明の開示】
【発明が解決しようとする課題】
【０００３】
この特許文献１により提案されるものは、ユニットシートの端部同士を単に重ねて補強材に挿通しているだけであり、ユニットシートの張力に対しては補強材に挿通した強度の弱いシート端部のみに負荷がかかるため、補強材の挿通孔付近からユニットシートが破断しやすく、この破断部分からユニットシート内に雨水等が入りやすいため斜面の風化が促進し斜面の安定性に欠けるという問題があった。
【０００４】
この発明は、このような実情に鑑みてなされたもので、ジオシンセティクス製シートを用い、斜面の変化に追従可能であり、かつシート破断防止が可能である斜面安定工法を提供することを目的とする。
【課題を解決するための手段】
【０００５】
前記課題を解決し、かつ目的を達成するために、この発明は、以下のように構成されている。
【０００６】
斜面に敷設したジオシンセティクス製シートを補強材で固定して補強する斜面安定工法において、
前記ジオシンセティクス製シートの端部を折り返した折り返し部分に前記補強材を挿通させた状態で、
前記補強材に頭部部材を取り付けて前記折り返し部分を固定する、
ことを特徴とする斜面安定工法である。
【０００７】
請求項2に記載の発明は、斜面に敷設したジオシンセティクス製シートを補強材で固定して補強する斜面安定工法において、
前記ジオシンセティクス製シートの端部を筒状に折り返した筒状折り返し部分に前記補強材を挿通させた後、
前記補強材に頭部部材を取り付け、
前記筒状折り返し部分の空隙にグラウト材を充填する、
ことを特徴とする斜面安定工法である。
【０００８】
請求項3に記載の発明は、前記ジオシンセティクス製シートの上に表面保護部材を設置したことを特徴とする請求項1または請求項2に記載の斜面安定工法である。
【０００９】
請求項4に記載の発明は、前記筒状折り返し部分に前記補強材を挿通させた後、
弾性体リングに前記補強材を挿通させ、
前記筒状折り返し部分の空隙に前記グラウト材を充填することを特徴とする請求項2または請求項3に記載の斜面安定工法である。
【００１０】
請求項5に記載の発明は、前記筒状折り返し部分の空隙に線材を挿入して前記グラウト材を充填することを特徴とする請求項2乃至請求項4のいずれか1項に記載の斜面安定工法である。
【発明の効果】
【００１１】
前記構成により、この発明は、以下のような効果を有する。
【００１２】
請求項１に記載の発明では、ジオシンセティクス製シートの端部を折り返し、この折り返し部分に補強材を挿通させて重ねて２重にするから、ジオシンセティクス製シートの張力に対する端部の強度が飛躍的に向上し、補強材挿通部周辺でのシート破断を防ぐことが可能となる。
【００１３】
請求項2に記載の発明では、ジオシンセティクス製シートの端部を筒状に折り返し、筒状折り返し部分に補強材を挿通させた後、筒状折り返し部分の空隙にグラウト材を充填するから、ジオシンセティクス製シートの張力に対する端部の強度が飛躍的に向上し、補強材挿通部周辺でのシート破断を防ぐことが可能となる。
【００１４】
請求項3に記載の発明では、ジオシンセティクス製シートの上に表面保護部材を設置することで、ジオシンセティクス製シートの変形量を抑制することが可能となる。
【００１５】
請求項4に記載の発明では、筒状折り返し部分に補強材を挿通させた後、弾性体リングに補強材を挿通させ、筒状折り返し部分の空隙にグラウト材を充填することで、弾性体リング周りの空隙に円滑にグラウト材を充填でき、グラウト材の充填性の向上と補強材挿通部からのグラウト材の流出を防ぐことが可能となる。
【００１６】
請求項5に記載の発明では、筒状折り返し部分の空隙に線材を挿入してグラウト材を充填することで、筒状折り返し部分の曲げ強度がさらに増大する。
【発明を実施するための最良の形態】
【００１７】
以下、この発明の斜面安定工法の実施の形態について説明するが、この発明の実施の形態は、発明の最も好ましい形態を示すものであり、この発明はこれに限定されない。
【００１８】
図1は斜面安定工法の施工手順を示す図である。この実施の形態の斜面安定工法の施工手順は、地山1を掘削（１段）し、斜面2を形成する〔図1（ａ）〕。この斜面2に補強材3を打設し〔図1（ｂ）〕、ジオシンセティクス製シート4に補強材3を挿通してシート敷設を行う〔図1（ｃ）〕。この補強材3に頭部部材5を取り付ける〔図1（ｄ）〕。以降、掘削、補強材打設、シート敷設、頭部部材取付けを最下段まで繰り返す〔図1（ｅ）〕。
【００１９】
この発明を適用する斜面2は、地山1を掘削して整形した切土斜面が主となるが、崩落の危険性がある自然状態の斜面や、古くなった吹き付けコンクリート等の表面保護工をリニューアルする場合にも適用できる。通常は、地山1を上方から掘削してジオシンセティクス製シート4を斜面水平方向に敷設する。
【００２０】
補強材3は、斜面2に穿孔に使用する鉄筋やロックボルト、鋼管、ＰＣ鋼棒等の棒材である。斜面2に補強材3を打設することによって、地山1のせん断抵抗力や粘着力などを向上させることができ、急勾配の斜面2が補強されて安定するようになる。
【００２１】
ジオシンセティクス製シート4は、土工事に用いる繊維材料、合成樹脂材料、化学合成材料などからなり、例えば、ポリエステル繊維、ガラス繊維、アラミド繊維、炭素繊維、ビニロン繊維、熱可塑性エラストマ、ポリプロピレン、ポリエステル、ポリエチレン、塩化ビニル等の材料を格子状又は面状に成形したシートである。ジオシンセティクス製シート4は巻物状になっているが、地山1を所定の高さＬ１、所定の角度θに切土を行った斜面2に合わせて所定の長さに切断して使用する。
【００２２】
頭部部材5はゴムシート5ａ、支圧プレート5ｂ、ナット5ｃなどで構成されている。
【００２３】
この発明の斜面安定工法では、掘削（１段）した地山1に対するシートの敷設、頭部部材の取付けは、図2及び図3に示すように施工される。図2はジオシンセティクス製シートを敷設した状態の断面図、図3はジオシンセティクス製シートを敷設した状態の側面図である。
【００２４】
この実施の形態では、所定の長さに切断したジオシンセティクス製シート4を使用する。このジオシンセティクス製シート4は、長手方向の上側シート端部4ｃに補強材挿通部4ａ，4ｂを有し、この補強材挿通部4ａ、4ｂは補強材3の打設位置に合わせて現地で開けるか、予め開けておく。
【００２５】
このジオシンセティクス製シート4の補強材挿通部4ａに補強材3の頭部3ａを挿通させ、ジオシンセティクス製シート4を斜面2に敷設する。このジオシンセティクス製シート4は、長手方向の上側シート端部4ｃを折り返し、折り返し部分4ｄの補強材挿通部4ｂに補強材3の頭部3ａを挿通させる。なお、折返し部分4ｄはあらかじめ縫い合わせておくこともできる。
【００２６】
この折り返し部分4ｄに、表面保護部材6のシート6ａに補強材3の頭部3ａを挿通させて設置し、さらにゴムシート5ａ、支圧プレート5ｂを順に補強材3の頭部3ａに挿通させ、ナット5ｃを羅着して締め付け固定する。表面保護部材6は、上側シート端部4ｃの折り返し部分4ｄを覆っており、上側シート端部4ｃの変形量を抑制する。この表面保護部材6は、のり肩の保護に設けられるシート6ａであり、この上段のシート6ａが上になるように重ねることで、ジオシンセティクス製シート4内に雨水が入らないようにする。
【００２７】
このように、ジオシンセティクス製シート4の上側シート端部4ｃを折り返し、折り返し部分4ｄの補強材挿通部4ｂに補強材3の頭部3ａを挿通させて重ねて２重にし、折り返し部分4ｄを固定することで、ジオシンセティクス製シート4の張力に対する上側シート端部4ｃの強度が飛躍的に向上し、補強材挿通部4ａ，4ｂ周辺でのシート破断を防ぐことが可能となる。
【００２８】
ゴムシート5ａは斜面2と上側シート端部4ｃ及び折り返し部分4ｄとの密着性を良くする効果がある。また、支圧プレート5ｂと比較して若干ゴムシート5ａの面積を大きくすることで、支圧プレート5ｂでゴムシート5ａ及び上側シート端部4ｃが破断するのを防止する効果がある。この支圧プレート5ｂは鉄製、樹脂製などで形状は角形、円形等で構成される。
【００２９】
このようにして、１段の地山1を掘削し、シート敷設、頭部部材取付けの施工が終了すると、2段から最下段の施工が同様にして行われるが、図3に示すように、下段のジオシンセティクス製シート4の上側シート端部4ｃの折り返し部分4ｄに、上段のジオシンセティクス製シート4の下側シート端部4ｅを下段の補強材3の位置に重ねて敷設する。このように、上段のジオシンセティクス製シート4の下側シート端部4ｅが、下段のジオシンセティクス製シート4の上側シート端部4ｃの折り返し部分4ｄ上に重なるように敷設することで、シート内に雨水が入らないようにすることができる。
【００３０】
次に、この発明の斜面安定工法の他の実施の形態について、図4乃至図7に基づいて説明する。
【００３１】
図4に示す実施の形態は、図2及び図3に示す実施の形態と同様に構成されるが、表面保護部材6として、のり肩の保護に設けられるシート6ａと、このシート6ａの上に配設した溶接金網、菱形金網、エキスパンドメタル、ジオグリッド等網などの部材6ｂで構成している。この部材6ｂは、ジオシンセティクス製シート4の全体の上に配設されており、表面保護材6が斜面2に敷設したジオシンセティクス製シート4の変形量をさらに抑制する。
【００３２】
図5及び図6に示す実施の形態は、図2及び図3に示す実施の形態と同様に構成されるが、ジオシンセティクス製シート4の上側シート端部4ｃを筒状に折り返し、筒状折り返し部分4ｆの補強材挿通部4ｂに補強材3の頭部3ａを挿通させ、上側シート端部4ｃを縫合せて固定する。この上側シート端部4ｃは、例えば接着剤などで固定してもよく、あるいは予め固定して筒状折り返し部分4ｆを設けてもよい。
【００３３】
この筒状折り返し部分4ｆの補強材挿通部4ｂに補強材3の頭部3ａを挿通させた後、弾性体リング10に補強材3の頭部3ａを挿通させ、補強材3の頭部3ａに頭部部材5を取り付けて筒状折り返し部分4ｆを固定する。弾性体リング10は、例えばゴム、樹脂などで成形される。
【００３４】
この筒状折り返し部分4ｆの空隙11にグラウト材12を充填する。グラウト材12はセメントミルク等が好ましい。頭部部材5を取り付ける前に、弾性体リング10を取り付けておく。
【００３５】
このように、筒状折り返し部分4ｆの補強材挿通部4ｂに補強材3の頭部3aを挿通させた後、弾性体リング10を挿通し、補強材3の頭部3ａに頭部部材5を取り付けて筒状折り返し部分4ｆを固定する。そして、筒状折り返し部分4ｆの空隙11にグラウト材12を充填することで、弾性体リング10周りの空隙11に円滑にグラウト材12を充填でき、グラウト材12の充填性が向上する。また、弾性体リング10が補強材3の頭部3ａに密着して挿通され、補強材挿通部4ｂからのグラウト材12の流出を防止することが可能となる。
【００３６】
また、筒状折り返し部分4ｆの空隙11にグラウト材12を充填するから、ジオシンセティクス製シート4の張力に対する上側シート端部4ｃの強度がさらに飛躍的に向上し、補強材挿通部周辺でのシート破断を防ぐことが可能となる。
【００３７】
図7に示す実施の形態は、図5及び図6に示す実施の形態と同様に構成されるが、筒状折り返し部分4ｆの空隙11に線材13を長手方向に挿入してグラウト材12を充填する。線材13として、例えば鉄筋、ワイヤー、ＰＣ鋼線などを用いることができる。
【００３８】
このように、筒状折り返し部分4ｆの空隙11に線材13を挿入してグラウト材12を充填することで、線材13により筒状折り返し部分4ｆの曲げ強度がさらに増大し、張力に対するシート端部4ｃの強度が飛躍的に向上し、補強材挿通部周辺でのシート破断を防ぐことが可能となる。
【００３９】
なお、上記各実施形態ではジオシンセティクス製シートの端部以外は重ねずに使用しているが、土圧に応じて複数枚を重ねて使用することも可能であり、斜面の下方位置になるほどその枚数を増やしてもよい。
【産業上の利用可能性】
【００４０】
この発明は、自然状態の急斜面、または切土斜面などの斜面を補強する斜面安定工法に適用でき、ジオシンセティクス製シートを用い、斜面の変化に追従可能であり、かつシートの破断防止が可能である。
【図面の簡単な説明】
【００４１】
【図１】斜面安定工法の施工手順を示す図である。
【図２】ジオシンセティクス製シートを敷設した状態の断面図である。
【図３】ジオシンセティクス製シートを敷設した状態の側面図である。
【図４】ジオシンセティクス製シートを敷設した状態の他の実施の形態の断面図である。
【図５】ジオシンセティクス製シートを敷設しグラウト材を充填する前の他の実施の形態の断面図である。
【図６】ジオシンセティクス製シートを敷設しグラウト材を充填した他の実施の形態の断面図である。
【図７】ジオシンセティクス製シートを敷設した状態の他の実施の形態の断面図である。
【符号の説明】
【００４２】
1   地山
2   斜面
3   補強材
4   ジオシンセティクス製シート
4c  上側シート端部
4ｄ 折り返し部分
4ｆ 筒状折り返し部分
5   頭部部材
6   表面保護部材
11  空隙
12  グラウト材
【図１】
2007113296.tif 000003
【図２】
2007113296.tif 000004
【図３】
2007113296.tif 000005
【図４】
2007113296.tif 000006
【図５】
2007113296.tif 000007
【図６】
2007113296.tif 000008
【図７】
2007113296.tif 000009